(57)【要約】【課題】  水道水圧力を１００パーセントは利用できない状況でも、好適に、固形分を含む排泄物を水洗可能にする。【解決手段】  排泄物を水洗する水を貯溜するための貯水タンク１２と、排泄物を貯溜可能な便器１３及び排泄物を含む水洗水流を吸引可能な、ポンプを内蔵した汚水タンク１４とを有する移動式水洗トイレにおいて、水中ポンプ１５に排泄物中の固形分を粉砕する回転刃２５を設け、水中ポンプ１５をその羽根車２４の回転軸線２３が鉛直線に対して傾斜するように配置するために、水中ポンプ１５を傾斜姿勢にして汚水タンク１４に固定する。【選択図】          図３
2005076280.tif 000002
【特許請求の範囲】
【請求項１】
排泄物を水洗する水を貯溜するための貯水タンクと、排泄物を貯溜可能な便器及び排泄物を含む水洗水流を吸引可能な、ポンプを内蔵した汚水タンクとを有する移動式水洗トイレにおいて、水中ポンプに排泄物中の固形分を粉砕する回転刃を設け、水中ポンプをその羽根車の回転軸線が鉛直線に対して傾斜するように配置するために、水中ポンプを傾斜姿勢にして汚水タンクに固定したことを特徴とする移動式水洗トイレの排水装置。
【請求項２】
水中ポンプを傾斜配置するための手段として、水中ポンプの下部に接して傾斜を規定する下部係止部と、水中ポンプの上部に接して傾斜を規定する上部係止部とを有し、下部係止部は突起状、上部係止部は水中ポンプの一部に係止するフック状のものである請求項１記載の移動式水洗トイレの排水装置。
【発明の詳細な説明】
【技術分野】
【０００１】
本発明は、排泄物を水洗する水を貯溜するための貯水タンクと、排泄物を貯溜可能な便器及び排泄物を含む水洗水流を吸引可能な、ポンプを内蔵した汚水タンクとを有する移動式水洗トイレにおける排水装置に関するものである。
【背景技術】
【０００２】
移動式トイレには、いわゆるポータブルトイレのように従来のおまると変わらないものが多く、それには消臭剤を併用するとしても臭気の問題がついて回る。また使用後の処理も面倒である。快適性では水洗式に勝るものはないが、水道及び排水工事が必要というネックがあり、ポータブルトイレの類で水洗式のものは殆ど実用化されていないと言って良い。
【０００３】
これに対して技術開発のレベルでは、例えば特開昭５６−２７２５０号の自動洗浄便器の発明があり、これは排便受具と真空吸引構造を有する排便貯蔵タンクとをホースによって連結し、かつ洗浄排水のための温水供給管を連結した構成を有している。従ってこれは水洗式であるとも言えるが、排便受具が股間に密着するものであるため、健常者の平常使用には不向きと考えられる。
【０００４】
また特開２０００−８４４２号では、排出水供給部を備えた便器本体内部の底方に、撹拌機構を設けたトイレ装置を開示しており、明細書にはポータブルトイレ装置としたり、介護トイレとすることができる旨の記載がある。しかし、この種の水洗方式では、水道水圧力を加圧源として利用できる場合には問題ないが、それ以外の場合には水洗水流の流勢が弱く、排泄物中の固形分や紙などがうまく流れないという問題を生ずる。
【０００５】
【特許文献１】特開昭５６−２７２５０
【０００６】
【特許文献２】特開２０００−８４４２
【発明の開示】
【発明が解決しようとする課題】
【０００７】
本発明は前記の点に着目してなされたもので、その課題は、水道水圧力を１００パーセントは利用できない状況でも、好適に排泄物を水洗可能にすることである。また本発明の他の課題は、水道配管や排水設備がない状況において使用可能な移動式水洗トイレの排水装置を提供することである。
【課題を解決するための手段】
【０００８】
前記の課題を解決するため、本発明は排泄物を水洗する水を貯溜するための貯水タンクと、排泄物を貯溜可能な便器及び排泄物を含む水洗水流を吸引可能な、ポンプを内蔵した汚水タンクとを有する移動式水洗トイレにおいて、水中ポンプに排泄物中の固形分を粉砕する回転刃を設け、水中ポンプをその羽根車の回転軸線が鉛直線に対して傾斜するように配置するために、水中ポンプを傾斜姿勢にして汚水タンクに固定するという手段を講じたものである。
【０００９】
本発明の対象である移動式水洗トイレは、便器を中心としてこれに貯水タンクと汚水タンクとを組み合わせ、ポンプで汚水を吸引するものと考えて良い。貯水タンクには、水洗時に水を流す際に開閉する弁が備わっており、汚水タンクにはポンプが内蔵されている。このポンプは、いわゆる水中ポンプと称する、水中で運転できるように保護箱に入ったポンプとその電動機とから成るものが使われる。
【００１０】
その水中ポンプには、排泄物中の固形分を切断ないしは粉砕する回転刃を設ける。この回転刃は、固形分を切断ないしは粉砕することにより、排水中に存在する固形分を可能な限り微小な形態として、水流と共に流動し易くすることを目的とする。この固形分の微小化により、水道水圧力ほどの圧力が得られない場合に水中ポンプだけでも、固形分を含む水洗水流をスムーズに吸引できるようになる。
【００１１】
この水中ポンプは、ポンプを構成している羽根車の回転軸線が鉛直線に対して傾斜するように配置する。そのために水中ポンプは傾斜姿勢にして汚水タンク内に配置し、かつその姿勢のまま固定することにより、水中ポンプの吸引口と汚水タンクとの間に適切な水流を伴う空間が形成されるので、吸引口へ向かう水洗水流の流勢を弱めずに済む。傾斜角度は任意であり、水中ポンプの出力や汚水タンクの大きさ及び形態によって変化させることができるものとする。
【００１２】
水中ポンプを傾斜配置するための手段として、水中ポンプの下部に接して傾斜を規定する下部係止部と、水中ポンプの上部に接して傾斜を規定する上部係止部とを有し、下部係止部は突起状、上部係止部は水中ポンプの一部に係止するフック状のものとすることができる。水中ポンプは、汚水タンクの底などに配置して、宙吊りに配置しないことが望ましい。
【００１３】
水中ポンプには羽根車があり、羽根車は回転により吸引流を発生して、羽根車よりも上流の水を吸引し下流へ排出する。この羽根車は水流を吸引すると同時に、水流中に含まれている、既に回転刃によって切断、粉砕された固形分を撹拌し、さらに細分するようにも作用する。吸引水流の勢力を低下させないためには、水中ポンプを取り囲んでいるハウジングの吸引口を羽根車の直径よりも小径に絞り込むことが望ましい。本発明では、貯水タンクからの重力落下と水中ポンプの吸引力によって、水洗水流の流勢が得られるが、機種によっては、水道配管に接続し、水道水圧力を併用することもある。
【発明の効果】
【００１４】
本発明は以上の如く構成されかつ作用するものであるから、水中ポンプの能力を最大限度まで引き出し、水道水圧力を１００パーセントは利用できない状況下でも、好適に排泄物を水洗することが可能になるという効果を奏する。また本発明によれば、水道配管や排水設備がない状況において使用可能な移動式水洗トイレの排水装置を提供することができる。
【発明を実施するための最良の形態】
【００１５】
以下図面を参照し、本発明をより詳細に説明する。図１は本発明に係る移動式水洗トイレ１０とその排水装置１１の例示である。
【００１６】
１２は水洗用水を貯溜するための貯水タンク、１３は固形分を含む排泄物を貯溜可能な便器、１４は汚水タンクであり、固形排泄物を含む水洗水流を吸引可能な、水中ポンプ１５を内蔵している。１６は通水管であり、便器排水部１７と汚水タンク流入部１８とを連絡し、固形分を含む水洗水流を汚水タンク１４に導入する。貯水タンク１２は便器台部１９に設置され、また便器全体と排水装置１１とは台板２０に据え付けて全体が一体化されている。
【００１７】
排水装置１１は、図２、図３に示されているように、汚水タンク１４と、その中に設置されている水中ポンプ１５とから成る。例示の水中ポンプ１５は、下部に吸引口２１を有し、上部に排出口２２を有する。上下方向の回転軸２３は吸引口２１の内側に羽根車２４を有するとともに、吸引口２１の外側において回転刃２５を有している。２６はモーターを示す。２７はハウジングであり、前記の吸引口２１を有している。
【００１８】
回転刃２５は排泄物中の固形分、或いは固形状態の排泄物を粉砕する目的を持ち、例示のものは２枚の翼の回転方向前縁２８が切断のための刃になっている。回転刃２５は、ハウジング２７の吸引口２１よりも大きい回転半径を有し、羽根車２４の直径は回転刃２５のそれよりもさらに大径に設定されている（図４、図５参照）。
【００１９】
水中ポンプ１５を傾斜配置するための手段としての下部係止部２９は汚水タンク１４の底部に突起状に設けられており、水中ポンプ１５の脚片３０間の凹部３１の上端に係止して傾けられる。傾けられた水中ポンプ１５は脚片３０で支えられる。水中ポンプ１５の上部に接してその傾斜を規定するもう一つの手段である上部係止部３２は、汚水タンク１４の周壁部にフック状に設けられており、水中ポンプ１５の相手係止部３３に係止することにより傾斜した状態で固定される。これで水中ポンプ１５は汚水タンク内に３点支持されることになり、安定するが（図３等の例ではポンプ本体も内壁に接しているので計４点による支持）、がたつきを防止するためには上部係止部３２に係止している相手係止部３３を結束するなどの手段３４によりさらに固定する。
【００２０】
各図中、３５は貯水タンク１２への給水系における継手であり、給水時に適当なホースにより接続する。また、３６はポンプ作動センサー、３７はポンプ停止センサーであり、図外の制御回路に接続され水中ポンプ１５の作動制御に用いられる。また３８は設置センサーを示す。
【００２１】
このような構成を有する本発明の装置１１では、予め貯水タンク１２に貯水しておき、用便後、便器１３に貯溜された便を水洗することにより、汚水タンク１４に貯溜することができる。このため、便器１３には便が残らず、臭気に悩まされることがない。汚水タンク１４に固形の排泄物を含む汚水が溜まっている状態において水中ポンプ１５を始動すると、汚水中には吸引口２１に吸引される水流３９が形成される。羽根車２４の回転と同時に回転刃２５が回転し、回転刃２５は吸引口２１を覆っているので吸引される固形分全部が回転刃２５による粉砕作用を受けることになり、従って排泄物の固形分は微小な形態に変化しているので水流と共に移動し易くなり、排水ホース４０を通して円滑に外部へ排出されることになる。
【図面の簡単な説明】
【００２２】
【図１】本発明に係る移動式水栓トイレの排水装置の１例を示す全体図。
【図２】同上の排水装置部を示す平面説明図。
【図３】図２ものに対する正面説明図。
【図４】水中ポンプの設置形態を示す拡大説明図。
【図５】水中ポンプの下面図。
【符号の説明】
【００２３】
１０  移動式水洗トイレ
１１  排水装置
１２  貯水タンク
１３  便器
１４  汚水タンク
１５  水中ポンプ
２１  吸引口
２２  排出口
２３  回転軸
２４  羽根車
２５  回転刃
２９  下部係止部
３２  上部係止部
３３  相手係止部
４０  排水ホース
【図１】
2005076280.tif 000003
【図２】
2005076280.tif 000004
【図３】
2005076280.tif 000005
【図４】
2005076280.tif 000006
【図５】
2005076280.tif 000007